(57)【要約】【課題】装飾布シートの装着が簡単に能率良く行え、確実な装着状態となり、組立てが短時間で行え、内枠本体と装飾布シートの分離が可能で、分別し易く、構成簡素で、取扱い易く、量産し易く、コストを低減でき、経済的で豪華な化粧箱用内枠体を提供する。【解決手段】底箱Ｂと、底箱Ｂを施蓋自在な蓋箱Ｃと、底箱Ｂ内に装着する内枠体Ａとからなる化粧箱に於いて、内枠体Ａは、内枠本体Ａ１と、内枠本体Ａ１の外表面がわを覆う装飾布シートＡ２とからなり、内枠本体Ａ１は、上枠板１と、上枠板１の内周縁部分に折目線を介して連設する複数の折曲内片２と、上枠板１の外周縁部分に折目線を介して連設すると共に、切込線４を切設した複数の側板３とを備え、装飾布シートＡ２の一部は、切込線４を通過して内枠本体Ａ１の内表面がわに押込み、切込線４部分の切込端縁によって挟圧保持状態となるよう形成する。【選択図】図２
0003129303.tif 000002
【実用新案登録請求の範囲】
【請求項１】
底箱と、この底箱の上部開口部分を施蓋自在な蓋箱と、底箱内に装着されると共に、適宜収納商品が収容可能な収容凹部を有する内枠体とからなる化粧箱に於いて、前記内枠体は、内枠本体と、この内枠本体の外表面がわを覆うように配される装飾布シートとからなり、内枠本体は、上枠板と、この上枠板の内周縁部分に折目線を介して連設される複数の折曲内片と、上枠板の外周縁部分に折目線を介して連設されると共に、切込線が切設される複数の側板とを備え、装飾布シートは、その一部が切込線を通過して内枠本体の内表面がわに押込まれると共に、切込線部分の切込端縁によって挟圧保持状態となるように形成したことを特徴とする化粧箱用内枠体。
【請求項２】
略有底矩形短筒状の底箱と、この底箱の上部開口部分を施蓋自在な略逆有底矩形短筒状の蓋箱と、底箱内に装着されると共に、適宜収納商品が収容可能な収容凹部を有する内枠体とからなる化粧箱に於いて、前記内枠体は、内枠本体と、この内枠本体の外表面がわを覆うように配される柔軟な装飾布シートとからなり、内枠本体は、略矩形枠板状の上枠板と、この上枠板の内周縁部分に折目線を介して連設される四つの折曲内片と、上枠板の外周縁部分に折目線を介して連設される四つの側板とを備え、側板夫々には、その上下方向略中央部分に略水平方向に沿って比較的長尺な切込線が切設され、装飾布シートは、その一部が切込線を通過して内枠本体の内表面がわに押込まれると共に、切込線部分の切込端縁によって挟圧保持状態となるように形成したことを特徴とする化粧箱用内枠体。
【請求項３】
前記折目線には、略破線状の切込線を併用したことを特徴とする請求項１または請求項２記載の化粧箱用内枠体。
【考案の詳細な説明】
【技術分野】
【０００１】
本考案は、底箱と、この底箱の上部開口部分を施蓋自在な蓋箱と、底箱内に装着されると共に適宜収容凹部を有する内枠体とからなる化粧箱に於いて、例えば、ハムやその他の適宜食品類、チョコレートやその他の適宜菓子類、ワインやその他の適宜酒類、香水やその他の適宜化粧品類、ネックレスやその他の適宜装身具類、或いは、その他の適宜収納商品を、収容凹部に収容できるようにした化粧箱用内枠体に係り、比較的高級な収納商品に相応しい豪華な雰囲気の内枠体を、比較的簡単に且つ短時間で構成できるようにすると共に、構成が簡素で、取扱い易く、量産に適し、比較的低廉で、経済的となるように工夫した化粧箱用内枠体に関するものである。
【背景技術】
【０００２】
従来、この種の化粧箱用内枠体としては、例えば、特許文献１のような化粧箱の布げすが開示されている。そして、これは、布地の周縁に突凹が連続したひだを連設し、ひだに糸を刺し通して連結し、げす本体の側面上部に布地のひだを接着し、布地でげす本体を被覆したものである。
【０００３】
【特許文献１】実開平３−４９９２１号公報
【考案の開示】
【考案が解決しようとする課題】
【０００４】
ところが、前述の如き化粧箱の布げすにあっては、げす本体の側面上部に布地のひだを接着する作業が面倒であると共に、手間がかかり、作業能率も悪い等の難点があった。しかも、構成が複雑で、取扱い難く、量産し難く、コスト高となる問題点等もあった。更に、これを廃棄する際、接着されているため分別し難い等の問題点もあった。
そこで、本願考案者は、前述の如き難点等を解消できる新規で優れた化粧箱用内枠体を提供すべく案出したものである。
【課題を解決するための手段】
【０００５】
しかして、前述の如き課題等を達成すべく、請求項１記載の化粧箱用内枠体にあっては、底箱Ｂと、この底箱Ｂの上部開口部分を施蓋自在な蓋箱Ｃと、底箱Ｂ内に装着されると共に、適宜収納商品が収容可能な収容凹部を有する内枠体Ａとからなる化粧箱に於いて、前記内枠体Ａは、内枠本体Ａ１と、この内枠本体Ａ１の外表面がわを覆うように配される装飾布シートＡ２とからなり、内枠本体Ａ１は、上枠板１と、この上枠板１の内周縁部分に折目線を介して連設される複数の折曲内片２と、上枠板１の外周縁部分に折目線を介して連設されると共に、切込線４が切設される複数の側板３とを備え、装飾布シートＡ２は、その一部が切込線４を通過して内枠本体Ａ１の内表面がわに押込まれると共に、切込線４部分の切込端縁によって挟圧保持状態となるように形成する手段を採用した。
【０００６】
また、請求項２記載の化粧箱用内枠体にあっては、略有底矩形短筒状の底箱Ｂと、この底箱Ｂの上部開口部分を施蓋自在な略逆有底矩形短筒状の蓋箱Ｃと、底箱Ｂ内に装着されると共に、適宜収納商品が収容可能な収容凹部を有する内枠体Ａとからなる化粧箱に於いて、前記内枠体Ａは、内枠本体Ａ１と、この内枠本体Ａ１の外表面がわを覆うように配される柔軟な装飾布シートＡ２とからなり、内枠本体Ａ１は、略矩形枠板状の上枠板１と、この上枠板１の内周縁部分に折目線を介して連設される四つの折曲内片２と、上枠板１の外周縁部分に折目線を介して連設される四つの側板３とを備え、側板３夫々には、その上下方向略中央部分に略水平方向に沿って比較的長尺な切込線４が切設され、装飾布シートＡ２は、その一部が切込線４を通過して内枠本体Ａ１の内表面がわに押込まれると共に、切込線４部分の切込端縁によって挟圧保持状態となるように形成する手段を採用した。
【０００７】
更に、請求項３記載の化粧箱用内枠体にあっては、前記折目線には、略破線状の切込線を併用する手段を採用した。
【考案の効果】
【０００８】
従って、本考案の請求項１記載の化粧箱用内枠体によれば、装飾布シートＡ２が内枠本体Ａ１の外表面がわを覆うようになり、高級な収納商品に相応しい豪華な雰囲気の内枠体Ａを形成できるようになる。
しかも、構成が簡素で、取扱い易く、ひいては、量産し易く、コストの低減を図れるようになり、経済的な化粧箱用内枠体Ａとなる。
特に、装飾布シートＡ２は、その一部が切込線４を通過して内枠本体Ａ１の内表面がわに押込まれると共に、切込線４部分の切込端縁によって挟圧保持状態となるように形成したので、装飾布シートＡ２の内枠本体Ａ１への装着が簡単に且つ能率良く行えるようになると共に、確実な装着状態が得られるようになる。すなわち、その組立てが熟練を要することなく誰でも簡単に且つ短時間で行えるようになる。尚、組立てに失敗したとしても、接着剤等を利用していないので、簡単にやり直しができるものとなる。
加えて、内枠本体Ａ１への装飾布シートＡ２の装着に接着剤等が不要となると共に、これを廃棄する際、内枠本体Ａ１と装飾布シートＡ２の分離が可能で、分別し易いものとなる。
【０００９】
また、本考案の請求項２記載の化粧箱用内枠体によれば、柔軟な装飾布シートＡ２が内枠本体Ａ１の外表面がわを覆うようになり、高級な収納商品に相応しい豪華な雰囲気の内枠体Ａを形成できるようになると共に、収納商品を保護できるようになる。
しかも、構成が簡素で、取扱い易く、ひいては、量産し易く、コストの低減を図れるようになり、経済的な化粧箱用内枠体Ａとなる。
特に、装飾布シートＡ２は、その一部が切込線４を通過して内枠本体Ａ１の内表面がわに押込まれると共に、切込線４部分の切込端縁によって挟圧保持状態となるように形成したので、装飾布シートＡ２の内枠本体Ａ１への装着が簡単に且つ能率良く行えるようになると共に、確実な装着状態が得られるようになる。すなわち、その組立てが熟練を要することなく誰でも簡単に且つ短時間で行えるようになる。尚、組立てに失敗したとしても、接着剤等を利用していないので、簡単にやり直しができるものとなる。
加えて、内枠本体Ａ１への装飾布シートＡ２の装着に接着剤等が不要となると共に、これを廃棄する際、内枠本体Ａ１と装飾布シートＡ２の分離が可能で、分別し易いものとなる。
そして、内枠本体Ａ１は、略矩形枠板状の上枠板１と、この上枠板１の内周縁部分に折目線を介して連設される四つの折曲内片２と、上枠板１の外周縁部分に折目線を介して連設される四つの側板３とを備えているので、安定感のある内枠本体Ａ１となり、収納商品をより安定的に収容できるようになる。
それから、側板３夫々には、その上下方向略中央部分に略水平方向に沿って比較的長尺な切込線４を切設してあるので、装飾布シートＡ２の一部を切込線４を通過せしめて内枠本体Ａ１の内表面がわに押込み易くなると共に、装飾布シートＡ２を内枠本体Ａ１にバランス良く装着保持できるようになる。
【００１０】
更に、本考案の請求項３記載の化粧箱用内枠体によれば、前記折目線には、略破線状の切込線を併用したので、折曲内片２や側板３をスムーズに且つ綺麗に折曲げられるようになる。
【考案を実施するための最良の形態】
【００１１】
以下、本考案を図示例に基づいて説明すると、次の通りである。
本考案は、底箱Ｂと、この底箱Ｂの上部開口部分を施蓋自在な蓋箱Ｃとを備えた化粧箱に於いて、底箱Ｂ内に装着されると共に、適宜収納商品が収容可能な収容凹部を有する内枠体Ａに係るものである。
そして、この内枠体Ａは、内枠本体Ａ１と、この内枠本体Ａ１の外表面がわを覆うように配される装飾布シートＡ２とからなる。
更に、内枠本体Ａ１は、上枠板１と、この上枠板１の内周縁部分に折目線を介して連設される複数の折曲内片２と、上枠板１の外周縁部分に折目線を介して連設されると共に、切込線４が切設される複数の側板３とを備えたものである。
また、装飾布シートＡ２は、その一部が切込線４を通過して内枠本体Ａ１の内表面がわに押込まれると共に、切込線４部分の切込端縁によって挟圧保持状態となるように形成されている。
加えて、内枠本体Ａ１は、略矩形枠板状の上枠板１と、この上枠板１の内周縁部分に折目線を介して連設される四つの折曲内片２と、上枠板１の外周縁部分に折目線を介して連設される四つの側板３とを備え、側板３夫々には、その上下方向略中央部分に略水平方向に沿って比較的長尺な切込線４が切設される。
更に、前記折目線には、略破線状の切込線を併用する。
【実施例】
【００１２】
図示例の化粧箱は、例えば、底箱Ｂと、この底箱Ｂの上部に外冠状に施蓋自在な略逆有底矩形短筒状の蓋箱Ｃと、底箱Ｂ内に装着されると共に、適宜収納商品が収容可能な収容凹部を有する本考案の内枠体Ａとで構成されている。
【００１３】
前記底箱Ｂは、例えば、適宜紙材や、適宜合成樹脂材や、適宜複合材等によって、上部が開放された略有底矩形短筒状に形成されている。
【００１４】
前記蓋箱Ｃは、例えば、適宜紙材や、適宜合成樹脂材や、適宜複合材等によって、下部が開放された略逆有底矩形短筒状に形成され、底箱Ｂの上部に外冠状に施蓋自在となるよう構成されている。
尚、蓋箱Ｃは、底箱Ｂと別体に構成したものでも良いし、適宜ヒンジ（例えば、布ヒンジ等）によって、揺動自在に連結されたものであっても良い（図示せず）。
また、蓋箱Ｃは、例えば、内枠体Ａの上部に外冠状に施蓋自在となるよう形成し、底箱Ｂに対して突合せ状態となるように構成したものであっても良い（図示せず）。
【００１５】
前記内枠体Ａは、例えば、適宜紙材や、適宜合成樹脂材や、適宜複合材等によって形成される内枠本体Ａ１と、綿、シルク、ウール、麻等の天然繊維や、適宜紙材や、適宜合成樹脂材や、適宜複合材等によって不織布状或いは織布状に形成される比較的柔軟な装飾布シートＡ２とで構成されている。
【００１６】
前記内枠本体Ａ１は、例えば、略矩形枠板状の上枠板１と、この上枠板１の内周縁部分に折目線を介して連設される四つの略台形状の折曲内片２と、上枠板１の外周縁部分に折目線を介して連設される四つの略台形状の側板３とからなる。
【００１７】
そして、上枠板１は、例えば、その外周縁が底箱Ｂ内に内嵌されるように形成され、その内周縁は、角部が比較的大きな円弧状となるような略矩形状に形成されている。しかも、上枠板１は、底箱Ｂの上端開口縁より下方に配置されるように形成しても良いし（図２参照）、或いは、底箱Ｂの上端開口縁より上方に配置されるように形成しても良いし（図示せず）、底箱Ｂの上端開口縁と面一に配置されるように形成しても良い（図示せず）。
尚、上枠板１の具体的形状、寸法、材質、配設位置等は、底箱Ｂや蓋箱Ｃの寸法、形状や、収納商品の寸法、形状、数、配設位置等に応じて適宜自由に設定、変更できるものである。
【００１８】
また、折曲内片２は、例えば、上枠板１に対して斜め状態に折曲げられ、収納商品を安定的に支持できるようにすると共に、収納商品を保護できるように形成されている。
尚、折曲内片２の具体的形状、寸法、材質、数、配設位置等は、収納商品の寸法、形状、数、配設位置等に応じて適宜自由に設定、変更できるものである。
【００１９】
側板３は、例えば、上枠板１に対して直角に折曲げられ、底箱Ｂの内周側面に密着できるように形成されていると共に、装飾布シートＡ２を底箱Ｂの内周側面に圧迫できるように形成されている（或いは、圧迫できなくても良い）。すなわち、装飾布シートＡ２の固定状態がより確実となるように形成されている。
尚、側板３の具体的形状、寸法、材質、数、配設位置等は、底箱Ｂの寸法、形状等に応じて適宜自由に設定、変更できるものである。
【００２０】
更に、側板３に切設される切込線４は、例えば、側板３夫々の上下方向略中央部分に略水平方向に沿って比較的長尺な直線状に形成されると共に、その両端部分に側方に行くに従って漸次拡開するような略横向きＶ字状の切込が形成されている。すなわち、この切込線４は、装飾布シートＡ２の一部が押込まれると共に、その切込端縁によって押込まれた装飾布シートＡ２の一部を確実に挟圧保持した状態を維持できるように形成されている。
ところで、切込線４は、例えば、装飾布シートＡ２の保持がより確実に行えるように鋸刃状に形成したりすることもできる（このとき、後述する押込突片１３の形状を鋸刃状としても良い）。
尚、切込線４の具体的形状、寸法、数、配設位置等は、適宜自由に設定、変更できるものである。
【００２１】
前記折目線は、例えば、折曲筋に加えて、略破線状の切込線が併用されており、上枠板１に対して折曲内片２や側板３を僅かな力でもスムーズに且つ綺麗に折曲げられるように形成されている。
尚、切込線４の具体的構成、形状、寸法、数、配設位置等は、適宜自由に設定、変更できるものである。
【００２２】
そして、前記装飾布シートＡ２は、例えば、内枠本体Ａ１より一回り大きな矩形状を呈し、綿、シルク、ウール、麻等の天然繊維や、適宜紙材や、適宜合成樹脂材や、適宜複合材等によって不織布状或いは織布状に形成されている。しかも、比較的柔軟で、高級感を醸し出せるように形成されている。加えて、その表面に適宜印刷を施したり、或いは、その表面を起毛状としても良い。
尚、装飾布シートＡ２の具体的構成、形状、寸法、材質等は、内枠本体Ａ１の寸法、形状や、収納商品の中身や、寸法、形状、数、包装材等に応じて適宜自由に設定、変更できるものである。
【００２３】
ところで、内枠体Ａの具体的構成、形状、寸法、材質、内枠本体Ａ１の具体的構成、形状、寸法、材質、底箱Ｂの具体的構成、形状、寸法、材質、蓋箱Ｃの具体的構成、形状、寸法、材質等は、図示例のもの等に限定されることなく、適宜自由に設定、変更できるものである。
【００２４】
本考案の内枠体Ａは、前述の如く構成されており、次に、その製造方法について説明すると、先ず、図中１０は、本考案の内枠体Ａを製造する際に使用される組立治具であって、この組立治具１０は、例えば、矩形板状の木製基板１１と、この基板１１の表面中央に固着される略直方体状の押込台部１２と、基板１１の表面に突設される複数の略帯板状の金属製押込突片１３とからなっている。
前記押込台部１２は、例えば、その外周面が上枠板１の内周縁に略合致するように形成され、装飾布シートＡ２を収容凹部の形状に合わせて窪ませると共に、複数の折曲内片２を折曲げられるように形成されている。
また、押込突片１３は、例えば、その一方の長辺部分を基板１１に植設させるようにして固定され、その他方の長辺部分の両端角部が円弧状に形成されている。尚、複数の押込突片１３は、展開状態の内枠本体Ａ１の側板３に設けた切込線４に合致するように形成されている。
ところで、押込突片１３を図示例のような直線的な帯板状に形成してある場合は、押込突片１３によって装飾布シートＡ２の一部を切込線４に押込んでから、組立治具１０を後退させたときに、押込突片１３だけをスムーズに後退せしめられるようになり、装飾布シートＡ２の一部を内枠本体Ａ１内表面がわに確実に残せるようになる。
尚、組立治具１０の具体的構成、形状、寸法、材質、基板１１の具体的構成、形状、寸法、材質、押込台部１２の具体的構成、形状、寸法、材質、数、配設位置、押込突片１３の具体的構成、形状、寸法、材質、数、配設位置等は、図示例のもの等に限定されることなく、適宜自由に設定、変更できるものである。
【００２５】
そして、具体的な製造手段は、先ず、展開状態の内枠本体Ａ１（図３、図４参照）の外表面がわに装飾布シートＡ２を重ね、これに組立治具１０を接近せしめる（図５参照）。
すると、押込台部１２が装飾布シートＡ２を押すと共に、複数の折曲内片２を折曲げ、押込台部１２で押された装飾布シートＡ２の一部を収容凹部とすべく内表面がわに突出させる。一方、これと同時に、押込突片１３が装飾布シートＡ２を押すと共に、複数の側板３の切込線４部分に進入して、押込突片１３で押された装飾布シートＡ２の一部を内枠本体Ａ１の内表面がわに突出させる（図６参照）。
その後、組立治具１０を後退させ、複数の折曲内片２が折曲げられて形成された収容凹部に沿って装飾布シートＡ２が覆っている状態が残り、同時に、装飾布シートＡ２の一部が内枠本体Ａ１の内表面がわに突出した状態のまま残り、この部分は、切込線４の切込端縁で挟圧保持された状態となる（図７参照）。
それから、折目線を介して複数の側板３を折曲げ、これを底箱Ｂ内に装着する（図２参照）。
ところで、内枠本体Ａ１及び装飾布シートＡ２に対して、組立治具１０を移動させるように説明したが、組立治具１０に対して内枠本体Ａ１及び装飾布シートＡ２を移動させるようにしても良い。
また、内枠体Ａの製造は、自動化にも対応可能なものである。
【００２６】
従って、前述のような内枠体Ａの製造方法によれば、豪華な雰囲気の内枠体Ａを、誰でも簡単に、正確に、且つ短時間で製造できるようになる。
しかも、自動化し易く、効率的に量産可能となり、大幅なコストの低減が図れ、経済的な製造方法となる。
特に、装飾布シートＡ２の内枠本体Ａ１への装着が簡単に且つ能率良く行えるようになると共に、確実な装着状態が得られるようになる。
また、内枠本体Ａ１への装飾布シートＡ２の装着に接着剤等が不要で、これを廃棄する際等に、内枠本体Ａ１と装飾布シートＡ２の分離が可能となり、分別し易くなる。
【図面の簡単な説明】
【００２７】
【図１】本考案の化粧箱用内枠体を用いた化粧箱を例示する分解斜視図である。
【図２】本考案の化粧箱用内枠体を例示する縦断面図である。
【図３】本考案の化粧箱用内枠体と組立治具を例示する分解斜視図である。
【図４】本考案の化粧箱用内枠体の内枠本体を例示する展開図である。
【図５】本考案の化粧箱用内枠体の組立て状態を例示する一部切欠側面図である。
【図６】本考案の化粧箱用内枠体の組立て状態を例示する一部切欠側面図である。
【図７】本考案の化粧箱用内枠体の組立て状態を例示する一部切欠側面図である。
【符号の説明】
【００２８】
Ａ      内枠体
Ａ１    内枠本体
Ａ２    装飾布シート
１      上枠板
２      折曲内片
３      側板
４      切込線
１０    組立治具
１１    基板
１２    押込台部
１３    押込突片
Ｂ      底箱
Ｃ      蓋箱
【図１】
0003129303.tif 000003
【図２】
0003129303.tif 000004
【図３】
0003129303.tif 000005
【図４】
0003129303.tif 000006
【図５】
0003129303.tif 000007
【図６】
0003129303.tif 000008
【図７】
0003129303.tif 000009